(57)【要約】      （修正有）【課題】パーツが少なく重心が低いドライガンフレームのガン台を提供する。【解決手段】ドライガンフレームのガン台２０には、相互に垂直なガン台本体２１及びスライドキャップ２２を設置する。該ガン台本体２１内部にはグローブバルブ３を設置し、及び該ガン台本体２１の頂端には連接器４を螺固する。該スライドキャップ２２の片側にはネジ孔２２１を設置し、手回しネジ２２２を螺入することで、水平管を螺固する。該ガン台本体内２１に設置するグローブバルブ３は球体３１１、密封パッド３４、端蓋３５及び連棒３２により構成され、該グローブバルブ３の位置は水平管の中心位置より低く、ドライガン出風口の高度を下げることができるため、ドライガンの安定度を向上させることが可能である。【選択図】図１
0003142203.tif 000002
【実用新案登録請求の範囲】
【請求項１】
ガン台本体、スライドキャップを含むドライガンフレームのガン台であって、
該ガン台本体は中空管体であり、しかもその内部にはグローブバルブを設置し、
該スライドキャップは中空管体であり、該ガン台本体と相互に垂直で、しかもその片側には貫通したネジ孔を設置し、該ネジ孔には手回しネジを螺入することを特徴とするドライガンフレームのガン台。
【請求項２】
前記グローブバルブは球体、端蓋を含み、該球体には貫通孔を設置し、該貫通孔の両端は平面端で、該球体の片側には溝槽を設置し、該溝槽は連棒末端の突起と嵌接し、該連棒の反対端は該ガン台本体の円孔外に貫通し、該連棒とダイヤルは螺固連動し、該球体の両端には密封パッドを設置し、該密封パッドには貫通孔を設置し、該密封パッド片側には錐口を設置し、該錐口は該球体と対応接触し、
該端蓋は該グローブバルブの底端に設置され、該密封パッドと該球体を押して密着接触を生じさせることを特徴とする請求項１記載のドライガンフレームのガン台。
【請求項３】
前記ガン台本体の頂端には連接器を螺固することを特徴とする請求項１記載のドライガンフレームのガン台。
【請求項４】
前記連接器は螺固部品、転動部品、連接環を含み、
該螺固部品の一端にはネジヤマ部を設置し、該ガン台本体に連接し、該ネジヤマ部は該ガン台本体の内ネジヤマと相互に対応し、該螺固部品の反対端は多角フランジ部で、該ガン台本体の外端面に接触することができ、該螺固部品内部には貫通した階級円柱孔を設置し、該階級円柱孔の端口位置には槽孔を設置し、該槽孔は防漏ワッシャを嵌設し、
該転動部品は中空状で、該転動部品の一端には円棒を設置し、該円棒と螺固部品の階級円柱孔の嵌合サイズは余裕のある対応で、これにより該転動部品は該螺固部品内において自由転動が可能で、該円棒底端には肩部を設置し、該螺固部品底部の防漏ワッシャと密着し、該転動部品の一端内部には内ネジ孔を設置し、該内ネジ孔はドライガンと連接可能で、該転動部品の底端には縮小直径の嵌合棒を設置し、
該連接環は該嵌合棒内に嵌設され、該連接環の内部には円孔を設置し、該円孔の一端には錐孔を設置し、該錐孔は内から外へと徐々に拡大する錐孔状を呈し、該転動部品と該連接環が嵌接する端口は旋圧工具により施圧成型して一体に連接することを特徴とする請求項３記載のドライガンフレームのガン台。
【考案の詳細な説明】
【技術分野】
【０００１】
本考案は、ドライガンフレームのガン台に係り、特にグローブバルブ及び連接器を設置しているため、該グローブバルブの位置は水平管の中心位置より低く、これによりドライガン出風口の高度を直接低くすることができ、ドライガンの水平管中心に対する湾曲トルクを低下させることができる他、ドライガン螺固の安定度を向上させることができるドライガンフレームのガン台に関する。
【背景技術】
【０００２】
一般に、主に焼付け塗装乾燥に用いるドライガンはドライガンフレーム上に設置して使用する。図6に示すように、該ドライガンフレーム1の水平管11上にはガン台12を嵌設し、該ガン台12は水平管11上においてスライド移動及び転動することができる。該ガン台12片側には空気管路13を螺設し、圧縮空気を受取り、及び該ガン台12頂端には快速凹ジョイント14を螺固する。該快速凹ジョイント14はドライガン15を挿入設置することができる。図７に示すように、該ドライガン15底部にはグローブバルブ16を螺設し、該グローブバルブ16の底端にはさらに快速凸ジョイント17を螺設する。該快速凸ジョイント17は該快速凹ジョイント14と迅速に挿入設置或いは分離することができる。
【０００３】
図7と図8に示すように、該水平管11中心から該ドライガン15の出風口中心までの間には3個のパーツを設置し、これにガン台12を加えると、高度Hが高過ぎるという現象を生じる。ドライガン15の角度を偏らせ設置する必要がある時には、過大なトルクを形成するため、重心不安定の現象を発生し、これにより該ガン台12を固定するネジ18は螺固しにくくなり、スライド動の恐れがある。
【０００４】
この他、該ガン台12と該ドライガン15の間にはグローブバルブ16、快速凸ジョイント17及び快速凹ジョイント14等3個のパーツを直列接続するが、パーツが多くなればコストも高くなり、組み立て手順と時間も増加するために、当然製造コストも拡大する。こうして価格が高くなればなるほど、その市場競争力は低くなってしまう。
【考案の開示】
【考案が解決しようとする課題】
【０００５】
公知ドライガンフレームのガン台は単純に水平管上に嵌設するだけで、片側には空気管路、反対端は快速凹ジョイント、快速凸ジョイント及びグローブバルブ等を通してドライガンを連接するため、連接するパーツが多く、ドライガン出風口から水平管中心までの高さが高くなり過ぎることで、水平管に対して生じる湾曲トルクが過大かつ重心が不安定となっていた他、コストが高いという点で、市場競争力がないという問題点があった。
【０００６】
そこで、本考案は上記構造の問題点を解決したドライガンフレームのガン台を提供することを課題とする。
【課題を解決するための手段】
【０００７】
上記課題を解決するためには、本考案は下記のドライガンフレームのガン台を提供する。すなわち、本考案ドライガンフレームのガン台は主に、相互に垂直なガン台本体及びスライドキャップを設置し、該ガン台本体内にはグローブバルブを設置し、流通する圧縮空気の流量を制御し、該グローブバルブは球体、密封パッド、端蓋及び連棒により組成し、該ガン台本体頂端には連接器を螺設し、該連接器は螺固部品及び転動部品により組成し、回転の自由度を備え、ドライガンは該連接器と直接螺固し、本考案のグローブバルブ構造はガン台内部に直接設置するため、該グローブバルブの位置は水平管の中心位置より低い。これにより、ドライガン出風口の高度を下げ、ドライガンの安定度を高めることができる。
【考案の効果】
【０００８】
上記のように、本考案のガン台本体は連結器或いは快速凹ジョイントを螺設するため、様々なドライガンが螺固するネジヤマ式ロータリージョイント或いは快速凸ジョイントに対応可能で、ドライガンの交換操作に便利である。この他、本考案のガン台本体にグローブバルブを直接設置する構造により、ドライガンに別にグローブバルブを組立てる必要がなくなり、さらにグローブバルブの位置は水平管中心高度より低いため、ドライガン全体の位置高度は低くなる。本考案の高度は公知高度のわずかに0.56倍であり、それにともなって重心も低くなるため、構造も安定する。またパーツの減少でコストが下がり、かつ操作は安定するので、利便性が向上する等の多項の進歩的な長所を備える。
【考案を実施するための最良の形態】
【０００９】
先ずは図1と図2に示すように、本考案最適実施例のドライガンフレームのガン台20は主に、相互に垂直なガン台本体21及びスライドキャップ22を設置する。該ガン台本体21は中空状の管体で、該ガン台本体21内部にはグローブバルブ3を設置し、該ガン台本体21の頂端には連接器4を螺固する。該スライドキャップ22もまた中空状の管体で、その片側には貫通したネジ孔221を設置し、該ネジ孔221には手回しネジ222を螺入する。
【００１０】
前記ガン台本体21内に設置するグローブバルブ3は球体311を含み、該球体311には貫通孔312を設置する。該貫通孔312の両端は平面端で、該球体311の片側には溝槽313を設置する。該溝槽313は連棒32末端の突起321と嵌接し、該連棒32の反対端は該ガン台本体21の円孔211外へと貫通する。該連棒32とダイヤル33は螺固連動し、該球体311の両端には密封パッド34を設置する。該密封パッド34には貫通孔341を設置し、該密封パッド34一端には錐口342を設置する。該錐口342は該球体311と対応接触し、端蓋35は該グローブバルブ3の底端に螺設し、該密封パッド342及び該球体311を押し密着接触の効果を生じる。
【００１１】
前記ガン台本体21頂端に螺固する連接器4は螺固部品40、転動部品45、連接環46を含む。該螺固部品40の一端にはネジヤマ部41を設置し、該ガン台本体21に連接可能で、該ネジヤマ部41は該ガン台本体21の内ネジヤマ212と相互に対応する。該螺固部品40の反対端には多角フランジ部42を設置し、該ガン台本体21の外端面に接触することができ、該螺固部品40内部には貫通し、しかも階級状の円柱孔43を設置し、該階級状の円柱孔43の端口位置には槽孔44を設置し、該槽孔44は防漏ワッシャ440を嵌設する。
【００１２】
該転動部品45は中空状で、該転動部品45の一端には円棒451を設置し、該円棒451と該螺固部品40の階級円柱孔43の嵌合サイズは余裕のある対応で、これにより該転動部品45は該螺固部品40内において自由転動が可能である。該円棒451底端の肩部452と該螺固部品40底部の防漏ワッシャ440は密着し、空気の漏洩を防止する。該転動部品45の一端内部には内ネジ孔453を設置し、該内ネジ孔453はドライガンと連接可能で、該転動部品45の底端には縮小直径の嵌合棒454を設置する。
【００１３】
該連接環46は該嵌合棒454内に嵌設し、該連接環46内部の円孔461の一端には錐孔462を設置し、該錐孔462は内から外へと徐々に拡大する錐孔状を呈し、該転動部品45と該連接環46が嵌接する端口は旋圧工具5により適当な圧力及び回転エネルギーにより施圧成型する（図3参照）。こうして該連接環46と該転動部品45一体に連接され、転動部品45と螺固部品40の離脱を防止することができる。
【００１４】
以上は本考案ドライガンフレームのガン台20、及びグローブバルブ3と回転可能な連接器4が一体になった各部品及びその関連位置の説明である。本考案は構造により各項の進歩性及び実用性の効果を派生する。それについて以下に説明する。
【００１５】
図2と図4に示すように、本考案は公知の設計を改変し、該グローブバルブ3を該ガン台2内部に直接設置し、該グローブバルブ3底端の端蓋35には内ネジ孔351を設置する。該内ネジ孔351は快速凸ジョイント51に螺固可能で、該快速凸ジョイント51は空気管路52を迅速に挿入接続することで、圧縮空気を供給する他、該グローブバルブ3により圧縮空気送入の流量を制御することで、ドライガン6の空気流量を制御する。
【００１６】
また、図2と図4に示すように、該ガン台本体21頂端に螺固する連接器4は直接ドライガン6を螺固し使用することができ、かつ該連接器4は転動の自由度を備えるため、該ドライガン6は360度の任意回転が可能である。該転動部品45の肩部452と該螺固部品40のフランジ部42の間には防漏ワッシャ440を設置するが、該防漏ワッシャ440はゴム材質により製造されるため、防漏効果を備える他、摩擦阻害力をも備える。同時にこの摩擦阻害力は該転動部品45の過度の転動を阻止することができるので、該ドライガン6は任意に転動せず、操作者が調整して初めて転動することが可能である。
【００１７】
本考案の別の有利な効果は、ドライガン6の出風口から水平管11中心までの高度Hが公知構造より低い点である（図4参照）。グローブバルブ3は該ガン台2の底部内に直接設置され、しかも該水平管11中心の高度より低い。また該ガン台本体21頂端には連接器4を螺設するため、該ドライガン6はグローブバルブ及び快速公、凹ジョイントを連接する必要がなくなり、この3個のパーツ分の高度を低減することができる。さらに該ドライガン6の出風口から水平管11中心の高度Hを大幅に低下させることができるので、本考案の高度Hは公知高度Hの0.56倍に過ぎず、ドライガン6の重心は当然低くなり、ドライガン6重量の水平管11中心に対するトルクも低くなる。こうしてドライガン6の角度が偏っている時の安定度も向上する。
【００１８】
図4に示すように、該ドライガン6底部に螺設するロータリージョイント61はネジヤマ構造を備え、本考案連結器4の転動部品45端面が設置する内ネジ孔453と直接螺固し使用することができる。
【００１９】
加え、図5に示すように、ある種のドライガン6底端には快速凸ジョイント17を螺設するため、本考案ガン台2頂端は連接器4を螺固することができる他に、公知の快速凹ジョイント14に置換え、底端に既に快速凸ジョイント17を螺固するドライガン6と迅速挿入接続することができる。これによりドライガン6交換の便を図る。
【００２０】
上記のように、本考案のガン台本体は連結器或いは快速凹ジョイントを螺設するため、異なるドライガンが螺固するネジヤマ式ロータリージョイント或いは快速凸ジョイントに対応し、ドライガンの交換操作に便利である。この他、本考案のガン台本体にグローブバルブを直接設置する構造により、ドライガンに別にグローブバルブを組立てる必要がなくなり、しかもグローブバルブの位置は水平管中心高度より低いため、こうしてドライガン全体の位置高度も低くなる。本考案の高度は公知高度のわずかに0.56倍で、これにより重心が低くなって、構造が安定する。また、パーツの減少でコストが下がり、かつ操作が安定するため、利便性が向上する等の多項の進歩的な長所を備える。
【００２１】
本考案は同類製品中において進歩性と実用性を既に備えており、実際の製造とテストにより、本考案が産業上の利用性を備えることが実証されている。しかも本考案の出願前には、相同物品は刊行物に掲載、或いは公開使用されていなため、本考案は進歩性、新規性及び産業上の利用性という実用新案の登録要件を備える。以上は本考案の最適実施例に過ぎず、本考案の実用新案登録請求範囲を制限するものではない。よって、本考案の明細書及び図示内容を運用し行う同等効果の構造変化もすべて、同一原理として本考案の実用新案登録請求範囲内に含むものとする。
【図面の簡単な説明】
【００２２】
【図１】本考案の立体分解図である。
【図２】本考案の組合せ平面図である。
【図３】本考案連接器の転動部品と連接環を旋圧組合せる場合の説明図である。
【図４】本考案ドライガンと空気管路を装置する使用例の説明図である。
【図５】本考案の置き換え快速凹ジョイントの使用例の説明図である。
【図６】公知のドライガンフレーム及びドライガンの組合せの説明図である。
【図７】公知のガン台にドライガンを装置する拡大説明図である。
【図８】公知のドライガン角度回転の説明図である。
【符号の説明】
【００２３】
1     ドライガンフレーム
11    水平管
12    ガン台
13    空気管路
14    快速凹ジョイント
15    ドライガン
16    グローブバルブ
17    快速凸ジョイント
18    ネジ
20    ガン台
21    ガン台本体
211   円孔
212   内ネジヤマ
22    スライドキャップ
221   ネジ孔
222   手回しネジ
3     グローブバルブ
311   球体
312   貫通孔
313   溝槽
321   突起
33    ダイヤル
34    密封パッド
341   貫通孔
342   錐口
35    端蓋
351   内ネジ孔
4     連接器
40    螺固部品
41    ネジヤマ部
42    フランジ部
43    円柱孔
44    槽孔
440   防漏ワッシャ
45    転動部品
451   円棒階級
43    円柱孔
452   肩部
440   防漏ワッシャ
453   内ネジ孔
454   嵌合棒
46    連接環
461   内円孔
462   錐孔
5     旋圧工具
6     ドライガン
61    ロータリージョイント
【図１】
0003142203.tif 000003
【図２】
0003142203.tif 000004
【図３】
0003142203.tif 000005
【図４】
0003142203.tif 000006
【図５】
0003142203.tif 000007
【図６】
0003142203.tif 000008
【図７】
0003142203.tif 000009
【図８】
0003142203.tif 000010